(57)【要約】【課題】烏龍茶、ジュース等の中性飲料を供給するＢＩＢと、シロップ飲料を供給するシロップ供給ユニットを１つの本体に収容した合体型飲料供給装置のデザインを統一して装置の高さ寸法を低くするとともに設置スペースを削減することを目的とするものである。【解決手段】ＢＩＢ２を収容する冷蔵庫３をＢＩＢ２が横長置きに収容されるように高さ寸法Ｈを幅寸法Ｗより小さい寸法としてシロップ供給ユニット９の上部に配設した。【選択図】      図１
2004182314.tif 000002
【特許請求の範囲】
【請求項１】
シロップコンテナから弁手段を介して供給される原料を希釈水で希釈して第１の飲料を提供するシロップ供給ユニットと、冷蔵庫内に収容されたＢＩＢからポンプによって供給される原料を希釈水で希釈して第２の飲料を提供するＢＩＢユニットと、を有する合体型飲料供給装置において、
前記ＢＩＢを収容する冷蔵庫を前記シロップ供給ユニットの上部に配設したことを特徴とする合体型飲料供給装置。
【請求項２】
前記冷蔵庫を、前記ＢＩＢが横長置きに収容されるように高さ寸法を幅寸法より小さい寸法としたことを特徴とする請求項１記載の合体型飲料供給装置。
【請求項３】
前記冷蔵庫を、前記ＢＩＢが斜め置きに収容されるように傾けて配設したことを特徴とする請求項１または２記載の合体型飲料供給装置。
【発明の詳細な説明】
【０００１】
【発明の属する技術分野】
本発明は、原料を希釈水で希釈して飲料を提供する飲料供給装置に関し、特に、ＢＩＢ（Ｂａｇ  Ｉｎ  Ｂｏｘ）とシロップコンテナのそれぞれから供給される原料を希釈水で希釈して飲料を提供する合体型飲料供給装置に関する。
【０００２】
【従来の技術】
従来の合体型飲料供給装置には、烏龍茶、ジュース等の中性飲料を供給するＢＩＢと、シロップ飲料を供給するシロップ供給ユニットを１つの本体に収容したものがある（例えば、特許文献１参照。）。
以下、図３により従来のＢＩＢとシロップ供給ユニットを１つの本体に収容した合体型飲料供給装置について説明する。図において、ＢＩＢ２は本体２０内の冷蔵庫２１内に縦長置きに収容されている。ＢＩＢ２のチューブ４はチューブポンプ５のロータ６とアーム７の間に挟持されており、ＢＩＢ２内の飲料の原料はロータ６が回転するとチューブ４を介して圧送されるように構成されている。また、チューブ４に隣接して希釈水のノズル８が設けられている。チューブポンプ５は、例えば、特開平１０−１４８１８２号公報に示されているものが使用される。一方、シロップ供給ユニットは、シロップコンテナ（図示せず）に接続されたチューブより成るシロップ管路２２、このシロップ管路２２に設けられる流量調整ねじを有するフローレギュレータ２３およびシロップバルブ２４、ノズル２５等より構成されている。このチューブポンプ５に装填したチューブ４、ノズル８、およびシロップ供給ユニットのノズル２５の下方には、ベンドステージ１１が設けられ、ベンドステージ１１上にガイド１２によってガイドされるカップ１３を配置することができる。
【０００３】
以上の構成において、スイッチ操作部（図示せず）のスイッチを操作して、烏龍茶、ジュース等の中性飲料を選択すると、対応する１つのＢＩＢ２の飲料の原料がチューブポンプ５によって圧送される。また、水源から希釈水が送水ポンプによって圧送されてノズル８に供給される。このようにして供給された中性飲料の原料と希釈水はカップ１３に注がれ、希望する中性飲料が得られる。一方、スイッチ操作部のスイッチを操作してシロップ飲料を選択すると、フローレギュレータ２３によって流量調整されたシロップが開放制御されたシロップバルブ２４を通過してノズル２５に供給される。ノズル２５では、シロップが送水ポンプによって圧送された希釈水と混合されてシロップ飲料になり、カップ１３に供給される。
【０００４】
図４は、従来の他の飲料供給装置を示し、図３と同一の部分には、同一の符号を付したので重複する説明は省略するが、シロップ飲料を供給するシロップ供給ユニットを本体に収容したシロップ飲料供給装置（以下、タワー部という）と、烏龍茶、ジュース等の中性飲料を供給するＢＩＢを本体に収容したＢＩＢ飲料供給装置（以下、子機という）とを組み合わせた飲料供給装置を示している。
以下、図４により従来のタワー部と子機とを組み合わせて、タワー部の本体に収容したシロップ供給ユニットに接続したシロップコンテナからシロップ飲料と、子機の本体に収容したＢＩＢから烏龍茶、ジュース等の中性飲料とを供給する飲料供給装置について説明する。図において、タワー部本体３０に設けたシロップ供給ユニット３１は、シロップコンテナに接続されたチューブより成るシロップ管路、このシロップ管路に設けられるフローレギュレータおよびシロップバルブ（図示せず）で構成され、下流側にノズル３２を接続している。一方、ＢＩＢ２は子機本体４０内の冷蔵庫４１内に縦長置きに収容されている。ＢＩＢ２のチューブ４はチューブポンプ５のロータ６とアーム７の間に挟持されており、ＢＩＢ２内の飲料の原料はロータ６が回転するとチューブ４を介して供給され、また、チューブ４に隣接して希釈水のノズル８が設けられている。
【０００５】
【特許文献１】
特開２００２−１２８１９７号（第２頁、第３図、第４図）
【０００６】
【発明が解決しようとする課題】
以上に述べた従来の合体型飲料供給装置ではチューブポンプ５の上部にＢＩＢ２を縦長置きに載置しているために装置全体の高さ寸法が高くなり、一方、タワー部と子機を組み合わせた飲料供給装置では子機の高さ寸法が高く、タワー部と子機の高さ寸法が不揃いになるため不統一なデザインになる、装置の設置時に高さ方向の寸法の制約を受ける、また、設置スペースを広く要する等の課題があった。
本発明は、このような従来の構成が有していた問題を解決しようとするものであり、デザインを統一して装置の高さ寸法を低くするとともに設置スペースを削減することができる合体型飲料供給装置を実現することを目的とするものである。
【０００７】
【課題を解決するための手段】
上記の目的を達成するために、本発明の請求項１に係る合体型飲料供給装置は、シロップコンテナから弁手段を介して供給される原料を希釈水で希釈して第１の飲料を提供するシロップ供給ユニットと、冷蔵庫内に収容されたＢＩＢからポンプによって供給される原料を希釈水で希釈して第２の飲料を提供するＢＩＢユニットと、を有する合体型飲料供給装置において、
前記ＢＩＢを収容する冷蔵庫を前記シロップ供給ユニットの上部に配設したことを特徴とする。
【０００８】
また、本発明の請求項２に係る合体型飲料供給装置は、上記請求項１において、前記冷蔵庫を、前記ＢＩＢが横長置きに収容されるように高さ寸法を幅寸法より小さい寸法としたことを特徴とする。
また、本発明の請求項３に係る合体型飲料供給装置は、上記請求項１または２において、前記冷蔵庫を、前記ＢＩＢが斜め置きに収容されるように傾けて配設したことを特徴とする。
【０００９】
【発明の実施の形態】
以下、本発明の実施の形態を図を参照して詳細に説明する。なお、従来と同一構成に関しては同一符号を用いる。
図１は、本発明の実施の形態に係る実施例としての、デザインを統一して装置の高さ寸法を低くするとともに設置スペースを削減することができる合体型飲料供給装置の第１の実施の形態を示す。
図１において、ＢＩＢ２は本体１内の冷蔵庫３内に収容されている。冷蔵庫３は、後述するシロップ供給ユニット９の上部に配設され、ＢＩＢ２を該冷蔵庫３内に載置すると横長置きに収容されるように、横長置きにしたＢＩＢ２の形状に合わせ、高さ寸法Ｈを幅寸法Ｗより小さい寸法にしている。ＢＩＢ２のチューブ４はチューブポンプ５（ＢＩＢユニット）のロータ６とアーム７の間に挟持されており、ＢＩＢ２内の飲料の原料はロータ６が回転するとチューブ４を介して圧送され供給されるように構成している。また、チューブ４に隣接して希釈水のノズル８が設けられている。一方、シロップ供給ユニット９は、図示しないシロップコンテナに接続されたチューブより成るシロップ管路（図示せず）、このシロップ管路に設けられる流量調整ねじを有するフローレギュレータおよびシロップバルブ（弁手段）を内部に有していて、ノズル１０を下流側に接続している。このチューブポンプ５に装填したチューブ４、ノズル８、およびシロップ供給ユニット９のノズル１０の下方には、ベンドステージ１１が設けられ、ベンドステージ１１上にガイド１２によってガイドされるカップ１３を配置することができる。
【００１０】
以上の構成において、飲料選択操作部のスイッチ（図示せず）を操作して、烏龍茶、ジュース等の中性飲料（第２の飲料）を選択すると、ＢＩＢ２の飲料の原料がチューブポンプ５によって圧送されチューブ４を介して供給される。また、水源から希釈水が送水ポンプ（図示せず）によって圧送されてノズル８から供給される。このようにして供給された中性飲料の原料と希釈水はカップ１３に注がれ、希望する中性飲料が得られる。一方、飲料選択操作部のスイッチを操作してシロップ飲料（第１の飲料）を選択すると、図示しない炭酸ガスボンベから加圧供給される炭酸ガスの圧力でシロップコンテナから送り出され、フローレギュレータによって流量調整されたシロップ（原料）が開放制御されたシロップバルブを通過してノズル１０に供給される。ノズル１０では、シロップが送水ポンプによって圧送された希釈水と混合されてシロップ飲料になり、カップ１３に供給される。
【００１１】
図２は本発明の合体型飲料供給装置の第２の実施の形態を示し、図１と同一の部分は同一の符号で示したので重複する説明は省略するが、ＢＩＢ２を収容する冷蔵庫３ａの配設形態が第１の実施の形態と相違する。冷蔵庫３ａは、ＢＩＢ２を該冷蔵庫３ａ内に載置すると斜め置きに収容されるように角度α（例えば、５°〜３０°）傾けるとともに、冷蔵庫３ａをＢＩＢ２の形状に合わせ、寸法Ｈを寸法Ｗより小さい寸法にしている。このように冷蔵庫３ａを角度α傾けて配設すると、ＢＩＢ２を該冷蔵庫３ａ内に載置すると斜め置きに収容することができるので、デザインを統一して装置の高さ寸法を低くするとともに設置スペースを削減することができ、また、チューブポンプ５によりチューブ４を介してＢＩＢ２内の飲料の原料を圧送して供給するときに、ＢＩＢ２内の原料の残量を少なくすることができる。
【００１２】
なお、ＢＩＢ２を収容する冷蔵庫の高さ寸法Ｈを幅寸法Ｗより小さい寸法にするのは、ＢＩＢ２を横長置き、または、斜め置きに収容して装置の高さ寸法を低くすることが目的であり、装置の高さ寸法を低くする構成はこれに限定されることなく、例えば、冷蔵庫をチューブポンプ５の横に配設する、また、シロップ供給ユニット９の背後に配設してもよいことはいうまでもない。
また、フローレギュレータおよびシロップバルブをシロップ供給ユニット９に内設する構成にしてノズル１０からシロップを供給しているが、フローレギュレータおよびシロップバルブを本体１内に配設するようにしてもよい。
【００１３】
さらに、ＢＩＢ２を横長置きにしたときの側面にチューブ４を設けているが、チューブ４をＢＩＢ２の底面に設けても良いことはいうまでもない。
以上説明したように、シロップコンテナから弁手段を介して供給される原料を希釈水で希釈して第１の飲料を提供するシロップ供給ユニット９と、冷蔵庫内に収容されたＢＩＢ２からポンプによって供給される原料を希釈水で希釈して第２の飲料を提供するチューブポンプ５と、を有する合体型飲料供給装置において、ＢＩＢ２を収容する冷蔵庫３をＢＩＢ２が横長置きに収容されるように高さ寸法Ｈを幅寸法Ｗより小さい寸法としてシロップ供給ユニット９の上部に配設したことにより、デザインを統一して装置の高さ寸法を低くするとともに設置スペースを削減することができる合体型飲料供給装置を実現することが可能となる。
【００１４】
冷蔵庫３ａを、ＢＩＢ２が斜め置きに収容されるように角度α傾けて配設したことにより、ＢＩＢ２を該冷蔵庫３ａ内に載置すると斜め置きに収容することができるので、デザインを統一して装置の高さ寸法を低くするとともに設置スペースを削減することができ、また、チューブポンプ５によりチューブ４を介してＢＩＢ２内の飲料の原料を圧送して供給するときに、ＢＩＢ２内の原料の残量を少なくすることができる合体型飲料供給装置を実現することが可能となる。
【００１５】
【発明の効果】
以上述べたように、本発明によれば、シロップコンテナから弁手段を介して供給される原料を希釈水で希釈して第１の飲料を提供するシロップ供給ユニットと、冷蔵庫内に収容されたＢＩＢからポンプによって供給される原料を希釈水で希釈して第２の飲料を提供するＢＩＢユニットと、を有する合体型飲料供給装置において、ＢＩＢを収容する冷蔵庫を、ＢＩＢが横長置きに収容されるように高さ寸法を幅寸法より小さい寸法としてシロップ供給ユニットの上部に配設したことにより、デザインを統一して装置の高さ寸法を低くするとともに設置スペースを削減することができる合体型飲料供給装置を実現することが可能になる。
【図面の簡単な説明】
【図１】本発明の実施形態を示す第１の実施例としての合体型飲料供給装置の概略構成図である。
【図２】本発明の実施形態を示す第２の実施例としての合体型飲料供給装置の概略構成図である。
【図３】従来の合体型飲料供給装置の概略構成図である。
【図４】従来のタワー部と子機とを組み合わせた飲料供給装置の概略構成図である。
【符号の説明】
１、１ａ  本体
２  ＢＩＢ
３、３ａ  冷蔵庫
４  チューブ
５  チューブポンプ
６  ロータ
７  アーム
８  ノズル
９  シロップ供給ユニット
１０  ノズル
１１  ベンドステージ
１２  ガイド
１３  カップ
【図１】
2004182314.tif 000003
【図２】
2004182314.tif 000004
【図３】
2004182314.tif 000005
【図４】
2004182314.tif 000006